(57)【要約】【目的】昇降可能な給紙台に用紙束を積載し、用紙残量に応じて給紙台を上昇させながら、束の最上位から１枚ずつ用紙を取り出す給紙装置において、用紙の幅方向側面をガイドするサイドフェンスを貫通させる穴が給紙台に設けられていても、用紙の垂れ下がりを防ぎ、構成と操作が簡単な給紙装置を提供する。【構成】  サイドフェンスに接して設けられ、開口部のうちサイドフェンスに沿った部分をふさぐとともに用紙束を支持可能な補助板を設ける。この補助板は、サイドフェンスの幅方向移動、及び給紙台の上下動に応じ、常にサイドフェンスの用紙ガイド面側に接したままサイドフェンス及び給紙台とともに移動する。【選択図】図１
2007145585.tif 000002
【特許請求の範囲】
【請求項１】
用紙束を積載する昇降可能な給紙台と、この給紙台に積載された用紙束がずれないように用紙束の幅方向両側縁に当接してガイドするサイドフェンスと、給紙台の上昇によって用紙束の最上位を所定高さに保ちながら、最上位の１枚を分離して給送する分離給送手段を有する給紙装置において、
前記サイドフェンスは前記給紙台に設けられた開口部を貫通するように設けられ、用紙の幅に応じて幅方向に移動可能であって、
前記サイドフェンスの用紙ガイド面側には、このサイドフェンスが貫通する前記開口部のうち、サイドフェンスに沿った部分をふさぐとともに、ふさいだ部分において用紙束を支持可能な補助板が設けられており、
前記サイドフェンスが幅方向に移動すると、前記補助板がサイドフェンスの用紙ガイド面側に接したまま前記サイドフェンスとともに幅方向に移動し、
前記給紙台が昇降すると、前記補助板の前後端が前記開口部の前後縁に接したまま前記給紙台とともに昇降することを特徴とする給紙装置。
【請求項２】
前記補助板と前記サイドフェンスとが磁着していることを特徴とする請求項１記載の給紙装置。
【請求項３】
前記補助板の前後端には、前記開口部の前縁および後縁をこえて延びる延出部が形成されており、前記開口部の前縁および後縁には、この延出部を下方から支持するとともに、補助板が給紙台から上方に離脱しないように延出部を係止する補助板支持部が設けられていることを特徴とする請求項１または２記載の給紙装置。
【請求項４】
前記開口部の前縁及び後縁には、前記補助板の前後端を下方から支持する下方支持部が設けられており、前記補助板と前記下方支持部とが磁着していることを特徴とする請求項１または２記載の給紙装置。
【請求項５】
前記サイドフェンスには上下方向にリニアガイド手段が形成されており、前記補助板には、このリニアガイド手段によってガイドされるとともにサイドフェンスから離脱しないように係止する被ガイド部材が設けられていることを特徴とする請求項１記載の給紙装置。
【請求項６】
前記リニアガイド手段は前記サイドフェンスに上下方向に設けられた長穴であって、前記被ガイド部材はこの長穴を貫通し、且つサイドフェンスの用紙ガイド面とは反対側の面において、長穴の幅よりも広幅なフランジ部を有することを特徴とする請求項５記載の給紙装置。
【請求項７】
前記開口部の前縁及び後縁には、前記補助板の前後端を下方から支持する下方支持部が設けられていることを特徴とする請求項５または６記載の給紙装置。
【発明の詳細な説明】
【技術分野】
【０００１】
本発明は、用紙束を積載する昇降可能な給紙台を有し、この給紙台の上昇により用紙束の最上位を所定高さに保ちながら、最上位の１枚を分離して給送する給紙装置に関する。
【背景技術】
【０００２】
用紙束から用紙を１枚ずつ分離して給送する給紙装置が、印刷機、複写機、ファクシミリ、紙折機、丁合機等様々な機械装置に使用されており、特に近年は処理の高速化にともなって大容量の用紙が積載できる給紙装置が多く使用されている。このような給紙装置では、図１４に示すように、用紙束Ｐ０を給紙台１０１に積載し、用紙Ｐの減少に応じて給紙台１０１を上昇させることにより用紙束Ｐ０の最上面を一定高さに保ちながら、用紙束Ｐ０の最上位から用紙を１枚ずつ取り出していく、ということが行われているものが多い。
【０００３】
用紙の取り出し方式としては、ローラを最上位の用紙に圧接回転させて用紙を繰出し、このローラに圧接するサバキ板によって次位以降の用紙が同時に送り出されるのを防ぎ、最上位の１枚のみを取り出すフリクション給紙方式、エアで最上位の用紙１枚のみを吸着して取り出すサクション給紙方式などがある。いずれの場合も、給紙ローラによる用紙の斜め送りや、エアによる次位以降の用紙のずれなどを防ぐために、この用紙束Ｐ０の給紙方向に直交する方向（幅方向）の両側縁に、１対のサイドフェンス１０２を当接させて用紙をガイドしなければならない（例えば特許文献１の第２図参照）。
【０００４】
図１４の給紙装置では、給紙台１０１に開口１０１ａが形成されており、サイドフェンス１０２は給紙台１０１の下方に設けられた底板に立設され、開口１０１ａを貫通するように構成されている。こうすることで、用紙の残量に関わらず常に用紙束Ｐ０の側縁をガイドすることができ、かつ装置が大型化するのを回避することができる（もし開口１０１ａを設けず、サイドフェンスを給紙台上に載置して設けると、給紙台の上昇とともにサイドフェンスの上端も上昇するので、給紙台上空にその分のスペースを必要とするので、装置が大型化してしまう）。
【特許文献１】特開平２−２３１３１８号公報（第２図）
【発明の開示】
【発明が解決しようとする課題】
【０００５】
しかし、幅が異なる様々な用紙を給紙可能とするために、サイドフェンス１０２を幅方向に移動可能とすると、開口１０１ａはその移動範囲をカバーする面積が必要になる。したがって、幅の小さな用紙から大きな用紙まで広範囲のサイズに対応できるようにするには、開口１０１ａも幅方向に拡大しなければならない。また、ズレや斜め送りが無い安定した給紙を行うためには、サイドフェンスの当接範囲をできる限り長くしたいが、そうすると開口１０１ａの給紙方向寸法も大きくなってしまう。その結果、開口１０１ａの面積が大きすぎて用紙束Ｐ０の下面が開口から垂れ下がってしまい、用紙が湾曲して給紙不良を起こしたり、用紙に曲げ癖がついてしまうという問題があった。
【０００６】
そこで従来は、開口の少なくとも一部をふさぐとともに、ふさいだ部分に給紙板１０１の用紙積載面と同一高さの面を形成する補助板を用いることがあった。しかし、この補助板の幅方向寸法を大きめに形成すると、幅の小さな用紙を処理する場合にこの補助板を取り外さなければならないという面倒が生じる。
【０００７】
また、補助板の幅方向寸法が小さい場合は、幅の大きな用紙を処理する場合に、補助板の位置によっては用紙を十分に支えることができないので、用紙の積載前に補助板の位置を手直ししなければならず、手間がかかるという問題がある。
【０００８】
本発明はこのような問題点に鑑みてなされたもので、サイドフェンスを貫通させる開口が設けられ、この開口をの少なくとも一部をふさぐ補助板が設けられた給紙装置において、この補助板の位置の手直しや着脱をすることなく、様々な幅の用紙の下面を十分に支えて垂れ下がりを防ぐことができる操作性のよい給紙装置を提供することを目的とする。
【課題を解決するための手段】
【０００９】
上記課題を解決するために、本発明の給紙装置は、下記の構成を有する。
【００１０】
第１の構成は、用紙束を積載する昇降可能な給紙台と、この給紙台に積載された用紙束がずれないように用紙束の幅方向両側縁に当接してガイドするサイドフェンスと、給紙台の上昇によって用紙束の最上位を所定高さに保ちながら、最上位の１枚を分離して給送する分離給送手段を有する給紙装置において、前記サイドフェンスは前記給紙台に設けられた開口部を貫通するように設けられ、用紙の幅に応じて幅方向に移動可能であって、前記サイドフェンスの用紙ガイド面側には、このサイドフェンスが貫通する前記開口部のうち、サイドフェンスに沿った部分をふさぐとともに、ふさいだ部分において用紙束を支持可能な補助板が設けられており、前記サイドフェンスが幅方向に移動すると、前記補助板がサイドフェンスの用紙ガイド面側に接したまま前記サイドフェンスとともに幅方向に移動し、前記給紙台が昇降すると、前記補助板の前後端が前記開口部の前後縁に接したまま前記給紙台とともに昇降することを特徴とする給紙装置である。
【００１１】
第２の構成は、第１の構成における補助板とサイドフェンスとが磁着していることを特徴とする給紙装置である。
【００１２】
第３の構成は、第１または第２の構成における補助板の前後端には、前記開口部の前縁および後縁をこえて延びる延出部が形成されており、前記開口部の前縁および後縁には、この延出部を下方から支持するとともに、補助板が給紙台から上方に離脱しないように延出部を係止する補助板支持部が設けられていることを特徴とする給紙装置である。
【００１３】
第４の構成は、第１または第２の構成における開口部の前縁及び後縁には、前記補助板の前後端を下方から支持する下方支持部が設けられており、前記補助板と前記下方支持部とが磁着していることを特徴とする給紙装置である。
【００１４】
第５の構成は、第１の構成におけるサイドフェンスには上下方向にリニアガイド手段が形成されており、前記補助板には、このリニアガイド手段によってガイドされるとともにサイドフェンスから離脱しないように係止する被ガイド部材が設けられていることを特徴とする給紙装置である。
【００１５】
第６の構成は、第５の構成におけるリニアガイド手段は前記サイドフェンスに上下方向に設けられた長穴であって、前記被ガイド部材はこの長穴を貫通し、且つサイドフェンスの用紙ガイド面とは反対側の面において、長穴の幅よりも広幅なフランジ部を有することを特徴とする給紙装置である。
【００１６】
第７の構成は、第５または第６の構成における開口部の前縁及び後縁には、前記補助板の前後端を下方から支持する下方支持部が設けられていることを特徴とする給紙装置である。
【００１７】
開口部での用紙束下面の垂れ下りを防ぐには、用紙束下面の幅方向側端縁付近を補助板で支持するのが効果的である。本発明の第１の構成によれば、サイドフェンスが幅方向に移動すると、補助板もサイドフェンスに接したまま幅方向に移動し、かつ給紙台が昇降すると、補助板も給紙台とともに昇降する。したがってサイドフェンスの移動や給紙台の昇降を行っても、補助板は常にサイドフェンスからも給紙台からも離脱することなく接しおり、用紙束を積載すると、この用紙束下面の幅方向両側縁付近が補助板によって支持される。したがって補助板の脱着、交換、手直し等することなく、用紙束の開口部からの垂れ下りを防ぐことができる。
【００１８】
本発明の第２の構成によれば、補助板とサイドフェンスとを磁着させることにより、簡易な構成で補助板が常にサイドフェンスに接しているようにすることができる。これに第３、４の構成を組み合わせれば、補助板が給紙台から上方に離脱しないように係止または磁着されているから、用紙が積載されていない状態で給紙台を下降させても、補助板がサイドフェンスとの磁着によって元の高さの位置に取り残されることが無く、サイドフェンスとの磁着面が摩擦摺動しながら給紙台とともに下降する。
【００１９】
さらに本発明の第５，６の構成では、サイドフェンスに上下方向にリニアガイド手段を形成し、このリニアガイド手段によってガイドされる被ガイド部材が補助板に設けられているので、補助板はサイドフェンスに常に接した状態となる。従ってサイドフェンスを幅方向に移動させても、補助板は常にサイドフェンスに接したままサイドフェンスとともに移動する。これに第７の構成を組み合わせれば、補助板の前後端が開口の前縁、後縁に支持されているので、給紙台が上下動すると、補助板も給紙台とともに上下動するようにすることができる。
【発明の効果】
【００２０】
以上の構成により、本発明においては、大容量の用紙を積載可能で、給紙不具合が少なく、構造が簡単で、操作性の良い給紙装置が得られるという効果がある。
【発明を実施するための最良の形態】
【００２１】
以下、本発明を実施するための最良の形態を、図面を参照して説明する。
【００２２】
（第１実施形態）
図１は本発明の第１実施形態を示す斜視図、図２はその正面図、図３は図２における左側面図である。図１に示すように、この給紙装置１は、用紙の束を積載する給紙台２と、用紙の幅方向両側縁に突き当たって用紙を位置決めするサイドフェンス３を有している。なお図２においては、構成をわかりやすくするために、図示手前側のサイドフェンス３を省略してある。
【００２３】
この給紙台２に用紙束Ｐ０を積載し、その両側縁にサイドフェンス３の用紙ガイド面３ａを当接させて位置決めし、束の最上位から１枚ずつ取り出して、図１に示す矢印Ｅの方向に給紙する。
【００２４】
図２及び３に示すように、サイドフェンス３の上方にはブロック５１と固定板５２が固定されて設けられている。そして幅方向を軸方向として水平に設けられたガイド軸５３がブロック５１を貫通しており、ブロック５１はこのガイド軸５３にガイドされることにより、ガイド軸５３の軸方向に移動可能になっている。ガイド軸５３の幅方向両側には一対のフレーム４１が底板６９に立設して設けられており、ガイド軸５３はこのフレーム４１に両端を固定されている。なお、図２においては、構成をわかりやすくするために、図示手前側のフレーム４１は省略してある。
【００２５】
フレーム４１の幅方向両外側には、回動軸４２が設けられ、この回動軸４２の上端付近に歯付きプーリ４３が設けられている。そしてこの一対の歯付きプーリ４３同士の間に歯付きベルト５４がかけられており、この歯付きベルト５４の図３における手前側を走行する部分に、一対のサイドフェンス３のうちの一方に固定された固定板５２が固定され、さらに歯付きベルト５４の図３における奥側を走行する部分に、一対のサイドフェンス３のうちの他方に固定された固定板５２が固定されている。
【００２６】
また同様に、サイドフェンス３の下方にはブロック６１と固定板６２が固定され、ガイド軸６３がブロック６１を貫通し、ブロック６１はこのガイド軸６３にガイドされて移動可能になっている。そして回動軸４２の下端付近に歯付きプーリ４４が設けられ、この一対の歯付きプーリ４４同士の間に歯付きベルト６４がかけられている。そして歯付きベルト６４の図３における手前側を走行する部分に、一対のサイドフェンス３のうちの一方に固定された固定板６２が固定され、さらに歯付きベルト６４の図３における奥側を走行する部分に、一対のサイドフェンス３のうちの他方に固定された固定板６２が固定されている。
【００２７】
一対の回動軸４２のうちの一方の上端にはつまみ４５が設けられている。このツマミ４５を手で回すと、回動軸４２が回動することにより歯付きベルト５４，６４が周回移動するので、固定板５２，６２を介してサイドフェンス３が互いに幅方向の中央を中心に対称移動するようになっている。ツマミ４５を回すことによって、用紙束Ｐ０の幅方向のサイズに合わせてサイドフェンス３を移動させ、用紙束Ｐ０の側端面に当接させる。
【００２８】
給紙台２の前方上方には、用紙束Ｐ０の最上位の１枚を分離して給送する分離給送手段７０が設けられている。分離給送手段７０は、用紙束Ｐ０の前方上方を周回するベルト７１と、そのベルトの内側に設けられた吸引チャンバ７２と、この吸引チャンバ７２に連通し、吸引チャンバ７２内に負圧を形成するファン７３が設けられている。ベルト７１は幅方向に複数並列して設けられ、このベルトとベルトの間からエアが吸引されるように、吸引チャンバ７２の下面に開口が形成されている。また、用紙束Ｐ０の前方には吐出チャンバ７４が設けられ、用紙束Ｐ０の前端上方に向かってエアを吹き込む吹き出し口７５が形成されている。この吐出チャンバ７４に連通して、吐出チャンバ７４内にエアを送り込むためのファン（図示せず）が設けられている。この吹き出し口７５から吹き出したエアが、用紙束Ｐ０の上方の用紙間に吹き込まれて用紙が互いに分離し、そのうちの最上位の１枚がベルト７１に吸引されるとともに、ベルト７１の周回によって図２における右方向に搬送される。
【００２９】
また、用紙束Ｐ０の上方にはセンサＳ１が設けられている。このセンサＳ１は用紙束Ｐ０の最上面の高さを検知可能になっている。このセンサＳ１の検知結果に応じ、図示しない駆動機構によって給紙台２が上下に移動する。用紙の取り出しが進んで最上面の高さが低くなると、用紙束の最上面の高さが所定高さよりも低くなったことをセンサＳ１で検知する。するとこの検知に応じて給紙台を上昇させ、その結果用紙束Ｐ０の最上面が所定の高さに達すると、センサＳ１で所定の高さになったことを検知して、給紙台２の上昇も中止する。この制御により、用紙束Ｐ０の最上面は常に給紙に最も適した高さに保たれる。
【００３０】
図１に示すように、サイドフェンス３は給紙台２に設けられた２ヵ所の開口２ａを貫通して設けられており、この開口２ａのサイドフェンス３に近い部分は補助板４によってふさがれ、この補助板４は、磁石５によってサイドフェンス３の用紙ガイド面３ａに磁着して設けられている。補助板４は前記給紙台の用紙積載面とほぼ同一の平面を形成して用紙束を支持できるようになっており、この補助板４が用紙の両側縁付近を支持するので、用紙が下方に垂れ下がって波打つのを防ぎ、したがってこれに起因する給紙不良を防ぐことができる。
【００３１】
図４は給紙台２の平面図であり、図５は図４に示すＡ−Ａ断面図、図６は図４に示すＢ−Ｂ断面図である。図４に示すように、この補助板４は、その給紙方向前方（下流側）に前方延出部４ａ、給紙方向後方（上流側）に後方延出部４ｂが形成され、それぞれ開口２ａの前縁２ｂ、後縁２ｃを越えて延在している。図５のように、開口２ａの前縁２ｂは、給紙台２の上面を形成する板を下方に曲げて形成されており、その曲げ部にスリット２ｄが形成されている。このスリット２ｄは、図６に示すように開口２ａの幅方向ほぼ全域にわたって形成されている。補助板４の前方延出部４ａはこのスリット２ｄに挿通されている。同様に、開口２ａの後縁２ｃも給紙台２の上面を形成する板を下方に曲げて形成されており、その曲げ部にスリット２ｅが形成されている。このスリット２ｅの形状はスリット２ｄと同様であって、補助板４の後方延出部４ｂはこのスリット２ｅに挿通されている。
【００３２】
従って補助板４は、その前方延出部４ａおよび後方延出部４ｂは、スリット２ｄ、２ｅの下辺に下方から支持されるとともに、スリット２ｄ、２ｅの上辺によって、補助板４が給紙台２から上方に離脱しないように係止されている。すなわち、このスリット２ｄ、２ｅが補助板支持部として機能する。
【００３３】
この構成によれば、補助板４は磁石５によって用紙ガイド面３ａに磁着されており、かつスリット２ｄ、２ｅは開口２の幅方向の寸法ほぼ全域にわたって設けられているから、サイドフェンス３を幅方向に移動させると、補助板４は用紙ガイド面３ａに磁着したままサイドフェンス３とともに幅方向に移動する。
【００３４】
また、給紙台２が上下方向に移動すると、補助板４は延出部がスリットの下辺に支持されているから、給紙台２が上昇すると補助板４もともに上昇するし、用紙の給送が完了して給紙台２上に用紙がなくなり、新たな用紙を補給可能とするために給紙台２を下降させても、補助板４は延出部スリットの上辺に係止され、給紙台２から離脱することなく給紙台２とともに下降する。このとき、補助板４は用紙ガイド面３ａに磁着したまま、その磁着面が摩擦摺動する。
【００３５】
したがって、サイドフェンス３と給紙台２のどちらが移動しても、補助板４は常に開口２のサイドフェンス３に沿った部分に存在して用紙束を支持するので、補助板４の位置を手直しする必要が無く、そのまま用紙を積載しても用紙の下端が開口２から垂れ下がったりしないので、良好な積載状態を維持することができ、給紙不具合もなくなる。
【００３６】
サイドフェンス３のうち、少なくとも用紙ガイド面３ａは磁性体で形成され、磁石５は補助板４に粘着テープや糊等によって貼り付けられている。もしくはこの構成に限らず、補助板４を磁性体で形成し、用紙ガイド面３ａに磁石を貼付してもよいが、この場合給紙台２の上下動による補助板４の移動範囲全体にわたって磁石を貼り付ける必要がある。
【００３７】
（第２実施形態）
続いて、本発明の第２実施形態に係る給紙装置について説明する。図７は本発明の第２実施形態に係る給紙装置の給紙台８２を示す平面図、図８は図７に示すＣ−Ｃ断面図である。第１実施形態と同一の部材には同じ番号を付し、その詳細な説明は省略する。
【００３８】
図７及び図８に示すように、第２実施形態の給紙装置においては、サイドフェンス３が貫通する開口８２ａが設けられており、この開口８２ａの前縁及び後縁には、下方支持部８２ｂ、８２ｃが設けられている。この下方支持部８２ｂ、８２ｃは、補助板８４の前端部と後端部を下方から支持しており、この補助板８４と下方支持部８２ｂ、８２ｃとの間に介在する磁石８６によって、補助板８４と下方支持部８２ｂ、８２ｃとが磁着されている。それ以外の構成は、第１実施形態と同一である。
【００３９】
この構成により、給紙台８２が上下方向に移動すると、補助板８４は下方支持部８２ｂ、８２ｃに支持されているから、給紙台８２が上昇すると補助板８４もともに上昇するし、用紙の給送が完了して給紙台８２上に用紙がなくなり、新たな用紙を補給可能とするために給紙台８２を下降させても、補助板８４と下方支持部８２ｂ、８２ｃとが磁着しているから、補助板８４が給紙台８２から離脱することなく給紙台２とともに下降する。このとき、補助板８４は用紙ガイド面３ａに磁石５により磁着したまま、その磁着面が摩擦摺動する。
【００４０】
また、サイドフェンス３を幅方向に移動させると、補助板８４は磁石５によって用紙ガイド面３ａに磁着されているから、補助板８４は用紙ガイド面３ａに磁着したままサイドフェンス３とともに幅方向に移動する。このとき、補助板８４は下方支持部８２ｂ、８２ｃに磁石８６により磁着したまま、その磁着面が摩擦摺動する。
【００４１】
したがって、この第２実施形態においては、第１実施形態と同様に、サイドフェンス３と給紙台８２のどちらが移動しても、補助板８４の位置を手直しする必要が無く、良好な積載状態を維持することができ、給紙不具合もない給紙装置が得られるとともに、第１実施形態のスリットと延出部の組合せ構造と比較して、より簡単な構成とすることができる。
【００４２】
下方支持部８２ｂ、８２ｃは磁性体で形成され、磁石８６は補助板８４に粘着テープや糊等によって貼り付けられている。またはこの変形例として、補助板８４を磁性体で形成し、下方支持部８２ｂ、８２ｃに磁石を貼付してもよい。この場合、図９に示すように、磁石８８は、補助板８６の移動範囲全体にわたって貼り付ける。
【００４３】
（第３実施形態）
続いて、本発明の第３実施形態に係る給紙装置について説明する。図１０はこの第３実施形態に係る給紙装置を示す正面図である。第１実施形態と同一の部材には同じ番号を付し、その詳細な説明は省略する。
【００４４】
図１０に示すように、第３実施形態の給紙装置においては、サイドフェンス９３の用紙ガイド面９３ａに少なくとも一つ、上下方向に長穴９３ｂが設けられている。図１１は第３実施形態の給紙装置の給紙台９２を示す平面図、図１２は図１１におけるＤ−Ｄ断面図である。図１１及び図１２に示すように、補助板９４のサイドフェンス９３側に、被ガイド部材９７（被ガイド手段）が設けられている。この被ガイド部材９７はサイドフェンス９３の長穴９３ａを貫通し、サイドフェンス９３の外側に延在しており、この延在部において他の部分よりも幅の大きいフランジ部９７ａを有していて、このフランジ部９７ａの幅寸法は長穴９３ｂの幅寸法よりも大きく形成されている。
【００４５】
また、給紙台９２にはサイドフェンス９３が貫通する開口９２ａが設けられており、この開口９２ａの前縁及び後縁には、下方支持部９２ｂ、９２ｃが設けられている。この下方支持部９２ｂ、９２ｃは、補助板９４の前端部と後端部を下方から支持している。それ以外の構成は、第１実施形態と同一である。
【００４６】
この構成により、給紙台９２が上下方向に移動すると、補助板９４は下方支持部９２ｂ、９２ｃに支持されているから、給紙台９２が上昇すると補助板９４も下方支持部９２ｂ、９２ｃに押し上げられて、ともに上昇するし、用紙の給送が完了して給紙台９２上に用紙がなくなり、新たな用紙を補給可能とするために給紙台９２を下降させても、補助板９４はその前後端が下方支持部９２ｂ、９２ｃ上に載った状態のまま自重で下降するので、給紙台９２から離脱することがない。このとき、補助板９４に固定された被ガイド部材９７は、サイドフェンス９３の長穴９３ｂにガイドされて上下動する。したがって長穴９３ｂがリニアガイド手段として機能する。
【００４７】
また、サイドフェンス９３を幅方向に移動させると、補助板９４は被ガイド部材９７のフランジ部９７ａによってサイドフェンス９３から離脱しないように係止されているから、補助板９４はサイドフェンス９３から離脱することなく、ともに幅方向に移動する。
【００４８】
したがって、この第３実施形態においても、第１、２実施形態と同様に、サイドフェンス９３と給紙台９２のどちらが移動しても、補助板９４は常にサイドフェンス９３に接した位置にあって用紙束を支持するので、補助板９４の位置を手直しする必要が無く、良好な積載状態を維持することができ、給紙不具合もない給紙装置が得られる。
【００４９】
なお、図１３にこの第３実施形態の変形例を示す。この変形例においては、サイドフェンス９３ｘに、リニアガイド手段として溝９３ｃが形成され、被ガイド部材９７はこの溝９３ｃにはまり込んでいる。溝９３ｃは、サイドフェンス９３の用紙ガイド面側に形成され、用紙ガイド面寄りであって溝幅の狭い狭窄部９３ｄと、この狭窄部９３ｄよりも深い部分に形成され、溝幅の広い幅広部９３ｅが形成されている。そして被ガイド部材９７のフランジ部９７ａが幅広部９３ｅにはまり込んでいる。
【００５０】
この構成により、サイドフェンス９３ｘを幅方向に移動させると、補助板９４は被ガイド部材９７のフランジ部９７ａによってサイドフェンス９３ｘから離脱しないように係止されているから、補助板９４はサイドフェンス９３ｘから離脱することなく、ともに幅方向に移動する。このように、リニアガイド手段及び被ガイド手段は、補助板がサイドフェンスから離脱しないようになってさえいれば、どのような形状で構成してもよい。
【図面の簡単な説明】
【００５１】
【図１】本発明の第１実施形態を示す斜視図である。
【図２】本発明の第１実施形態を示す正面図である。
【図３】本発明の第１実施形態を示す左側面図である。
【図４】本発明の第１実施形態における給紙台２の平面図である。
【図５】図４におけるＡ−Ａ断面図である。
【図６】図４におけるＢ−Ｂ断面図である。
【図７】本発明の第２実施形態における給紙台８２の平面図である。
【図８】図７におけるＣ−Ｃ断面図である。
【図９】本発明の第２実施形態の変形例を示す図である。
【図１０】本発明の第３実施形態を示す正面図である。
【図１１】本発明の第３実施形態における給紙台９２の平面図である。
【図１２】図１１におけるＤ−Ｄ断面図である。
【図１３】本発明の第３実施形態の変形例を示す図である。
【図１４】背景技術の給紙装置を示す図である。
【符号の説明】
【００５２】
１；給紙装置
２、８２、９２；給紙台
２ａ、８２ａ；開口
２ｂ；前縁
２ｃ；後縁
２ｄ、２ｅ；スリット
３、８３、９３、９３ｘ；サイドフェンス
３ａ、９３ａ；用紙ガイド面
４、８４、９４；補助板
４ａ；前方延出部
４ｂ；後方延出部
５、８６、８８；磁石
４１；フレーム
４５；つまみ
５４、６４；歯付きベルト
７０；分離給送手段
８２ｂ、８２ｃ、９２ｂ、９２ｃ；下方支持部
９３ｂ；長穴
９３ｃ；溝
９３ｄ；狭窄部
９３ｅ；幅広部
９７；被ガイド部材
９７ａ；フランジ部
１０１；給紙台
１０１ａ；開口
１０２；サイドフェンス
Ｐ；用紙
Ｐ０；用紙束
Ｓ１；センサ
【図１】
2007145585.tif 000003
【図２】
2007145585.tif 000004
【図３】
2007145585.tif 000005
【図４】
2007145585.tif 000006
【図５】
2007145585.tif 000007
【図６】
2007145585.tif 000008
【図７】
2007145585.tif 000009
【図８】
2007145585.tif 000010
【図９】
2007145585.tif 000011
【図１０】
2007145585.tif 000012
【図１１】
2007145585.tif 000013
【図１２】
2007145585.tif 000014
【図１３】
2007145585.tif 000015
【図１４】
2007145585.tif 000016